(57)【要約】      （修正有）【課題】イヤホンジャックを活用することでスマートフォン等の携帯端末に簡易に装着することができ、装着した携帯端末の意匠性、使用感を高めるタッチペンを提供する。【解決手段】携帯機器に装着可能なタッチペンであって、ボディ部３と、ボディ部３の一端に連続して設けられる装着部４と、ボディ部３の他端に連続して設けられる把持部６と、把持部６のボディ部３へ連続する端とは反対の端に設けられる先端部７と、ボディ部３に装着され、装着部４から延出したプラグ部５と、把持部６又は装着部４に着脱自在なキャップ部２とを備える。【選択図】図１
0003176667.tif 000002
【実用新案登録請求の範囲】
【請求項１】
携帯機器に装着可能なタッチペンであって、
ボディ部と、
上記ボディ部の一端に連続して設けられる装着部と、
上記ボディ部の他端に連続して設けられる把持部と、
上記把持部の上記ボディ部へ連続する端とは反対の端に設けられる先端部と、
上記ボディ部に装着されたプラグ部と、
上記把持部又は上記装着部に着脱自在なキャップ部と、を備えたこと
を特徴とするタッチペン。
【請求項２】
上記キャップ部は、上記プラグ部の上記携帯機器への装着時には上記把持部及び先端部を被覆するように装着され、上記携帯機器から取り外したときには上記プラグ部を被覆するように上記装着部に装着されること
を特徴とする請求項１に記載のタッチペン。
【請求項３】
上記プラグ部は、上記ボディ部に回転自在に装着されており、上記ボディ部の長手方向に対して略９０度まで段階的に回転自在であること
を特徴とする請求項１又は２のいずれかに記載のタッチペン。
【請求項４】
上記プラグ部の上記ボディ部への装着端にはギヤ部が設けられており、当該ギヤ部は上記把持部の下端に装着された押圧部と噛み合うことで、段階的に回転すること
を特徴とする請求項１乃至３のいずれかに記載のタッチペン。
【請求項５】
上記押圧部には、上記把持部の下端に設けられた弾性部材により上記ギヤ部に対する押圧力が付加されていること
を特徴とする請求項４に記載のタッチペン。
【請求項６】
上記キャップ部は、所定の形状に造形されていること
を特徴とする請求項１乃至５のいずれかに記載のタッチペン。
【請求項７】
上記キャップ部及びボディ部の少なくともいずれかには、所定の模様に係るプリントが施されていること
を特徴とする請求項１乃至５のいずれかに記載のタッチペン。
【請求項８】
上記携帯機器とは、スマートフォン、携帯型のタブレット端末、ミュージックプレイヤー、ＩＣレコーダのいずれかであること
を特徴とする請求項１乃至７のいずれかに記載のタッチペン。
【考案の詳細な説明】
【技術分野】
【０００１】
本考案は、例えばスマートフォンや携帯型のタブレット端末、ミュージックプレイヤー、ＩＣレコーダ等といったイヤホンジャックを備えた一般的な携帯端末の当該イヤホンジャック等に装着可能なタッチペンに関する。
【背景技術】
【０００２】
従来、タッチパネルを備えた小型携帯端末、即ち、例えばゲーム機やＰＤＡ、スマートフォン、携帯型のタブレット端末等においては、当該タッチパネルより各種入力を行う際にタッチペンを活用する場合がある。そして、今日では、このタッチペンを使用していないときに、いかに端末に収納するか、いかに取り出しやすくするか等、種々の工夫がなされている。
【０００３】
ここで、特許文献１では、タッチペン収納構造が開示されている。即ち、同技術はタッチペンと、このタッチペンを収納する収納部とからなるタッチペン収納構造において、タッチペンと収納部内のともに中間部における側部に、互いに係合自在な凹凸形状による係合部を各々形成し、タッチペンの頭部とこれに対応する収納部内の端部との間に、タッチペンの頭部の押し込み動作を可能とする空間部を形成すると共に、この空間部と中間部との間に、頭部の押し込み動作の際に係合部の係合が解除される方向にタッチペンを回動させる支点部を設けたことを特徴としている。
【先行技術文献】
【特許文献】
【０００４】
【特許文献１】実用新案登録第２５８１５１０号公報
【考案の概要】
【考案が解決しようとする課題】
【０００５】
しかしながら、上記特許文献１では、タッチペンは特有の形状とする必要があり、収納部もタッチペン専用に設けなければならない。更に、イヤホンジャックを活用することや意匠性、使用感を高めることについては考慮されていない。
【０００６】
そこで、本考案は上述の技術的な課題に鑑み、イヤホンジャックを活用することでスマートフォンや携帯型のタブレット端末、ミュージックプレイヤー、ＩＣレコーダ等といったイヤホンジャックを備えた携帯端末に簡易に装着することができ、装着した携帯端末の意匠性、使用感を高めることができるタッチペンを提供することを目的とする。
【課題を解決するための手段】
【０００７】
上述した技術的な課題を解決するため、本考案の一態様に係るタッチペンは、携帯機器に装着可能なタッチペンであって、ボディ部と、上記ボディ部の一端に連続して設けられる装着部と、上記ボディ部の他端に連続して設けられる把持部と、上記把持部の上記ボディ部へ連続する端とは反対の端に設けられる先端部と、上記ボディ部に装着され、上記装着部から延出したプラグ部と、上記把持部又は上記装着部に着脱自在なキャップ部と、を備えたことを特徴とする。
【０００８】
この態様において、上記キャップ部は、上記プラグ部の上記携帯機器への装着時には上記把持部及び先端部を被覆するように装着され、上記携帯機器から取り外したときには上記プラグ部を被覆するように上記装着部に装着されてよい。更に、上記プラグ部は、上記ボディ部に回転自在に装着されており、上記ボディ部の長手方向に対して略９０度まで段階的に回転自在であってよい。更に、上記プラグ部の上記ボディ部への装着端にはギヤ部が設けられており、当該ギヤ部は上記把持部の下端に装着された押圧部と噛み合うことで段階的に回転することとしてよい。更に、上記押圧部には、上記把持部の下端に設けられた弾性部材により上記ギヤ部に対する押圧力が付加されていることとしてよい。更に、上記キャップ部は、所定の形状に造形されていてよく、或いは上記キャップ部及びボディ部の少なくともいずれかには、所定の模様に係るプリントが施されていてよい。そして、上記携帯機器とは、スマートフォン、携帯型のタブレット端末、ミュージックプレイヤー、ＩＣレコーダのいずれかであってよい。
であってよい。
【考案の効果】
【０００９】
本考案に係るタッチペンによれば、イヤホンジャックを活用することでスマートフォンや携帯型のタブレット端末、ミュージックプレイヤー、ＩＣレコーダ等といったイヤホンジャックを備えた携帯端末に簡易に装着することができ、装着した携帯端末の意匠性、使用感を高めることが可能となる。
【図面の簡単な説明】
【００１０】
【図１】（ａ）は本考案の一実施形態に係るタッチペンをスマートフォンのイヤホンジャックに装着した様子を示す図、（ｂ）は当該タッチペンのキャップを取り外した様子を示す図、（ｃ）は当該タッチペンのキャップをプラグ側に装着した様子を示す図。
【図２】（ａ）乃至（ｃ）は本考案の一実施形態に係るタッチペンの一部断面図。
【図３】本考案の一実施形態に係るタッチペンを使用している様子を示す図。
【図４】本考案の一実施形態に係るタッチペンの他のデザインを示す図。
【図５】（ａ）及び（ｂ）は、本考案の一実施形態に係るタッチペンの更に他のデザインを示す図。
【考案を実施するための形態】
【００１１】
以下では、本考案のタッチペンに係る好適な実施形態について図面を参照しながら説明する。尚、本考案は以下の記述に限定されるものではなく、本考案の要旨を逸脱しない範囲において、適宜変更可能である。即ち、以下の実施形態では、スマートフォンに適用する例を示すが、これに限定されるものではなく、携帯型のタブレット端末、ミュージックプレイヤー、ＩＣレコーダ等といったイヤホンジャックを備えた一般的な携帯端末に適用可能である。
【００１２】
図１（ａ）は本考案の一実施形態に係るタッチペンをスマートフォンのイヤホンジャックに装着した様子を示し、図１（ｂ）は当該タッチペンのキャップを取り外した様子を示し、図１（ｃ）は当該タッチペンのキャップをプラグ側に装着した様子を示す。
【００１３】
これらの図１（ａ）乃至（ｃ）に示されるように、この一実施形態に係るタッチペン１は、ボディ部３と、このボディ部３の一端に連続して設けられる装着部４と、このボディ部３の他端に連続して設けられる把持部６と、この把持部６の上記ボディ部３との接続端とは反対の端に設けられる先端部７と、装着部４から延出したプラグ部５と、把持部６及び先端部７を被覆するように把持部６に装着される、或いはプラグ部５を被覆するように装着部４に装着されるキャップ部２とを備えている。
【００１４】
把持部６は略円柱形状となっており、先端部７の露呈部分は半球状となっている。ボディ部３は、途中で断面の半径が切り替わる段差を有しているが全体としては略円柱形状となっている。装着部４も下面と上面で各面の半径がゆるやかに変化する段差を有しているが全体としては略円柱形状となっている。そして、詳細は後述するが、プラグ部５は、ボディ部３に対して略９０度まで段階的に傾けることができるようになっている。先端部７は、例えば導電性ゴム、導電性スポンジ、導電性プラスチック等といった弾性材質からなる。但し、これには限定されないことは勿論である。
【００１５】
図２（ａ）乃至（ｃ）には本考案の一実施形態に係るタッチペンの一部断面図を示し説明する。図２（ａ）に示されるように、プラグ部５は、ボディ部３への接続端においてギヤ部１２を備えており、当該ギヤ部１２の中心部１２ａによりボディ部３に回転自在に軸支されている。このギヤ部１２には、複数の凹部１２ｂが形成されており、押圧部１１に形成された不図示の凸部が当該凹部１２ｂと噛合することで略９０度までの段階的な回転が実現されている。即ち、図２（ｂ）に示されるように、押圧部１１が把持部６の底面に接続されたスプリング１３により下方に所定の押圧力で押さえ付けられているが、この押圧力により、押圧部１１の不図示の凸部がプラグ部５のギヤ部１２の凹部１２ｂと噛合することで、図２（ｃ）に示される状態まで、プラグ部５のボディ部３の長手方向に対して略９０度までの段階的な回転が実現されることになる。このとき、スプリング１３の付勢力が、ギヤ部１２の凹部１２ｂと押圧部１１の不図示の凸部との噛合関係が維持されるように働くことになる。
【００１６】
従って、先に図１（ａ）に実線で示したように、携帯時にはキャップ部２が装着されたボディ部３をスマートフォン１００の上面に沿って略９０度に回転させることができるので、本実施形態に係るタッチペン１をカバンやシャツの胸ポケット等に収容する際にも邪魔とならない。そして、スマートフォン１００の使用時には、図１（ａ）中、破線で示したように、本タッチペンをスマートフォン１００の上面に対して垂直に立てて、その意匠性、使用感をアピールすることもでき、或いは図１（ｂ），（ｃ）に示したように、スマートフォン１００のイヤホンジャックから取り外して、キャップ部２の装着位置を変更して、タッチペンとして使用することができる。その様子は、図３に示される通りである。
【００１７】
ここで、この実施形態に係るタッチペンは、キャップ部を所定の形状に造形したり、所定の印刷を施したりすることにより意匠性、使用感を高めることもできる。
【００１８】
即ち、例えば、図４に示されるタッチペン５０では、キャップ部を所定の形状（この例ではネズミのキャラクター）に造形している。そして、例えば、図５（ａ），（ｂ）に示されるタッチペン６０では、キャップ部及びボディ部に所定の印刷（この例では、人形の模様）を施している。これらは一例にすぎず、キャップ部を多種多様な形状に造形することで意匠性、使用感を高めることが可能である。
【００１９】
以上、本考案の一実施形態によれば、スマートフォン１００等の携帯機器に装着可能なタッチペン１であって、ボディ部３と、ボディ部３の一端に連続して設けられる装着部４と、ボディ部３の他端に連続して設けられる把持部６と、把持部６のボディ部３へ連続する端とは反対の端に設けられる先端部７と、ボディ部３に装着され、装着部４から延出したプラグ部５と、把持部６又は装着部４に着脱自在なキャップ部２と、を備えたことを特徴とするタッチペン１が提供される。従って、スマートフォン１００等の携帯機器のイヤホンジャックにプラグ部５を装着するだけで、本タッチペン1をスマートフォン１００等と共に簡易に持ち運ぶことができ、とても便利である。
【００２０】
ここで、キャップ部２は、プラグ部５のスマートフォン１００等の携帯機器への装着時には把持部６及び先端部７を被覆するように装着され、携帯機器から取り外したときにはプラグ部５を被覆するように装着部４に装着されることとしてよい。従って、キャップ部２により、使用態様に応じて把持部６及び先端部７、或いはプラグ部５を保護することが可能となり、特にプラグ部５をスマートフォン１００のイヤホンジャックから外して使用するときに、プラグ部５を被覆するように装着部４に装着することで、手に持った感じが良好となり、操作性が向上する。
【００２１】
また、プラグ部５は、ボディ部３に回転自在に装着されており、上記ボディ部３の長手方向に対して略９０度まで段階的に回転自在であることとしてよい。従って、スマートフォン１００等の携帯機器に装着したときに、スマートフォン１００の上辺に対して平行となるように、タッチペン１を回転させることができ、携帯時、カバンやポケット等に収納する際に邪魔となるのを防ぐことが可能となる。
【００２２】
さらに、プラグ部５のボディ部３への装着端にはギヤ部１２が設けられており、当該ギヤ部１２は把持部６の下端に装着された押圧部１１と噛み合うことで、段階的に回転することとしてもよい。従って、ギヤ部１２と押圧部１１とが噛み合った状態で段階的に回転させ、回転した状態を維持することができる。
【００２３】
また、押圧部１１には、把持部６の下端に設けられた弾性部材としてのスプリング１３によりギヤ部１２に対する押圧力が付加されていることとしてよい。従って、この押圧力によりギヤ部１２と押圧部１１との噛合関係が維持されるので、回転された後の状態が保持されることになる。
【００２４】
さらに、キャップ部２は、所定の形状に造形されていてもよい。例えば、動物やアニメのキャラクター等、様々な形状とすることで、タッチペン１自体の意匠性、使用感を高めることができ、ひいては当該タッチペン１を装着したスマートフォン１００等の携帯端末の意匠性、使用感を高めることができる。
【００２５】
また、キャップ部２及びボディ部３の少なくともいずれかには、所定の模様に係るプリントが施されていてもよい。例えば、動物やアニメのキャラクター等、様々な模様をプリントすることで、タッチペン１自体の意匠性、使用感を高めることができ、ひいては当該タッチペン１を装着したスマートフォン１００等の携帯端末の意匠性、使用感を高めることができる。
【００２６】
さらに、携帯機器とは、スマートフォン１００、携帯型のタブレット端末、ミュージックプレイヤー、ＩＣレコーダのいずれかであってよい。例えば、iphone（登録商標）やandroid（登録商標）端末等、各種のスマートフォンや、iPad（登録商標）等の携帯型のタブレット端末にも適用可能である。
【００２７】
以上、本考案の一実施形態について説明したが、本考案は、これらに限定されることなく、その主旨を逸脱しない範囲で種々の改良・変更が可能である。例えば、使用により劣化した先端部７のみを交換可能としてもよい。また、スマートフォン等には携帯カバーを装着する場合があるが、そのような場合にも対応できるように、イヤホンジャックに挿入されるプラグ部５の長さを通常の規格サイズよりも２ｍｍ程度延長可能としてもよい。
【符号の説明】
【００２８】
１  タッチペン
２  キャップ部
３  ボディ部
４  装着部
５  プラグ部
６  把持部
７  先端部
１１  押圧部
１２  ギヤ部
１２ａ  中心部
１２ｂ  凹部
１３  スプリング
５０  タッチペン
６０  タッチペン
１００  スマートフォン
【図１】
0003176667.tif 000003
【図２】
0003176667.tif 000004
【図３】
0003176667.tif 000005
【図４】
0003176667.tif 000006
【図５】
0003176667.tif 000007